(57)【要約】【課題】  耳鼻咽喉科や神経内科等の医療機関等で使用される眼球運動検査用ゴーグルにおいて、防汚性、耐塵埃性、耐損傷性に優れた眼球運動検査用ゴーグルを提供すること。【解決手段】  被検者の顔面に装着され、ハーフミラーと、このハーフミラーに反射した被検者の眼球を撮影する撮像素子とを内蔵してなる眼球運動検査用ゴーグル１において、該眼球運動検査用ゴーグル１の前方には観察口が設けられるとともに、この観察口を覆うように透明カバー６が備えられ、透明カバー６の最小曲率が、Ｒ２４以上であるとともに、透明カバー６の最小曲率となる箇所が、被検者が視線を正面に向けたときの方向から、３０度以上外側に設けるようにする。【選択図】図１
2006087635.tif 000002
【特許請求の範囲】
【請求項１】
被検者の顔面に装着され、
ハーフミラーと、このハーフミラーに反射した被検者の眼球を撮影する撮像素子とを内蔵してなる眼球運動検査用ゴーグルにおいて、
該眼球運動検査用ゴーグルの前方には観察口が設けられてなるとともに、
この観察口を覆うように透明カバーが備えられてなることを特徴とする眼球運動検査用ゴーグル。
【請求項２】
前記透明カバーの最小曲率が、Ｒ２４以上であることを特徴とする請求項１記載の眼球運動検査用ゴーグル。
【請求項３】
前記透明カバーの最小曲率となる箇所が、被検者が視線を正面に向けたときの方向から、３０度以上外側に設けられてなることを特徴とする請求項１又は請求項２に記載の眼球運動検査用ゴーグル。
【発明の詳細な説明】
【技術分野】
【０００１】
本発明は、眼球運動検査用ゴーグルに関するものであり、詳しくは、耳鼻咽喉科や神経内科等の医療機関等で使用される眼球運動検査用ゴーグルに関するものである。
【背景技術】
【０００２】
従来より、眼球運動の検査を行うことによって、平衡感覚に異常をきたす要因の調査や、視覚機能の検査ができることが知られている。
【０００３】
このような眼球運動の検査においては、図５に示すように、ハーフミラー３１と撮像素子が内蔵され、前方に開口した観察口３２を有する眼球運動検査用ゴーグル３０が用いられている。被検者はこのハーフミラー３１を通して眼前の光景を見るとともに、ハーフミラー３１に反射した被検者の眼球を撮像素子により撮影するようになっている（例えば、特許文献１）。
【特許文献１】特開平１１−３３２８３０号公報
【発明の開示】
【発明が解決しようとする課題】
【０００４】
しかしながら、従来の眼球運動検査用ゴーグル３０においては、ハーフミラー３１や撮像素子等の光学系部品が露出した状態となっているため、容易に手が触れて汚れやすく、また、耐塵埃性も低く、損傷しやすいという問題があった。
【０００５】
本発明は、かかる事由に鑑みてなしたもので、その目的とするところは、防汚性、耐塵埃性、耐損傷性に優れた眼球運動検査用ゴーグルを提供することにある。
【課題を解決するための手段】
【０００６】
上記課題を解決するために、本発明では、第１に、被検者の顔面に装着され、ハーフミラーと、このハーフミラーに反射した被検者の眼球を撮影する撮像素子とを内蔵してなる眼球運動検査用ゴーグルにおいて、該眼球運動検査用ゴーグルの前方には観察口が設けられるとともに、この観察口を覆うように透明カバーが備えられてなるようにする。
【０００７】
第２には、前記透明カバーの最小曲率が、Ｒ２４以上であることを特徴とする。
【０００８】
第３には、前記透明カバーの最小曲率となる箇所が、被検者が視線を正面に向けたときの方向から、３０度以上外側に設けられてなることを特徴とする。
【発明の効果】
【０００９】
上記本発明の請求項１に係る眼球運動検査用ゴーグルにおいては、ハーフミラーや撮像素子等の光学系部品に容易に手が触れるのを防止でき、防汚性、耐塵埃性、耐損傷性に優れる。
【００１０】
上記本発明の請求項２に係る眼球運動検査用ゴーグルにおいては、透明カバーの最小曲率が小さくなり過ぎることがなく、被検者が眼前の光景を見る際に歪が生じるのを防ぐことができる。
【００１１】
上記本発明の請求項３に係る眼球運動検査用ゴーグルにおいては、最小曲率となる箇所を被検者の視線の外側にすることができ、被検者が眼前の光景を見る際に歪が生じるのをさらに防ぐことができる。
【発明を実施するための最良の形態】
【００１２】
本発明の実施形態における眼球運動検査用ゴーグル１は、図１に示すように、ゴーグル本体２と取付用ベルト３を備えている。ゴーグル本体２は、被検者の眼部周辺を覆うように装着され、取付用ベルト３により被検者の顔面に固定されるようになっている。
【００１３】
ゴーグル本体２の前面側には、観察口９が設けられており、観察口９を覆うようにして透明カバー６が着脱自在に取り付けられている。また、この透明カバー６のさらに前方には、遮蔽カバー７が着脱自在に取り付けられるようになっている。
【００１４】
また、ゴーグル本体２の上部にはゴーグルケーブル８が備えられており、外部機器（図示せず）と接続されてデータの送受信を行うことができるようになっている。
【００１５】
ゴーグル本体２の内部には、図２に示すように、ハーフミラー４と撮像素子５が備えられている。ここで、図示はしないが、ゴーグル本体２内部において撮像素子５はゴーグルケーブル８と接続されている。
【００１６】
ハーフミラー４は、下側にいくほど被検者の眼球Ｇから離れていくように、垂直方向から４５度傾斜した状態で設置されている。
【００１７】
次に、透明カバー６について説明する。図３に示すように、本実施形態における透明カバー６は、中央部は平面状で、両側部は曲面となるように形成されている。ここで、曲面の最小曲率はＲ２４となっており、しかも、この最小曲率となる箇所が、被検者が視線を正面に向けたときの方向から、３０度以上外側になるように設けられている。
【００１８】
また、本実施形態においては、透明カバー６の材質としてポリカーボネート（ＰＣ）を用いている。ここで、透明カバー６の材質としては、透明なものであれば特に限定されるものではなく、その他にも、アクリル樹脂、スチレン樹脂、ポリカルボジイミド等を用いてもよい。
【００１９】
このような眼球運動検査用ゴーグル１を被検者の顔面に装着し、被検者がハーフミラー４及び透明カバー６を通して眼前の光景を見ている状態で、ハーフミラー４に反射した被検者の眼球Ｇを撮像素子５により撮影することにより、めまい検査を行うことができる。
【００２０】
以上のように、本実施形態における眼球運動検査用ゴーグル１は、ハーフミラー４の外側に透明カバー６が備えられているので、ハーフミラー４や撮像素子５等の光学系部品に容易に手が触れるのを防止でき、防汚性に優れるとともに、耐塵埃性や耐損傷性にも優れるものである。
【００２１】
また、透明カバー６の材質として、ポリカーボネート（ＰＣ）を用いることができ、透明カバー６の透明性が優れているので、被検者が良好に眼前の光景を見ることができ、眼球反応をより良好に観察することができる。
【００２２】
また、眼球運動検査用ゴーグル１を用いて眼球検査を行う際、撮像素子５により被検者の眼球Ｇを撮影するのに加えて、医師等が被検者の眼球Ｇを良好に観察することができる。
【００２３】
また、透明カバー６の最小曲率を、Ｒ２４以上としているので、被検者が眼前の光景を見る際に歪が生じるのを防ぐことができる。
【００２４】
また、透明カバー６の最小曲率となる箇所を、被検者が視線を正面に向けたときの方向から、３０度以上外側になるように設けているので、被検者が眼前の光景を見る際に歪が生じるのをさらに防ぐことができる。
【００２５】
なお、透明カバー６の形状については、上記のもの以外にも、図４（ａ）に示すような平面状のものや、図４（ｂ）に示すような前面側が平面状で両側部にも平面部が形成されたもの、図４（ｃ）に示すような前面側の中央付近に曲面部を有するもの、あるいは、図４（ｄ）に示すような最小曲率がＲ２４以上の曲面を有するもの等が挙げられる。
【００２６】
また、最小曲率がＲ２４以上であれば、透明カバー６の上下方向においても曲面を有するように透明カバー６を形成してもよい。
【００２７】
また、本実施形態における眼球運動検査用ゴーグル１は、透明カバー６のさらに外側に遮蔽カバー７を取り付けるとともに、ゴーグル本体２内部に凹面レンズ（図示せず）と、この凹面レンズに映像を映し出す映像出力機器（図示せず）等を取り付けることにより、刺激映像提示機能付ビデオ眼振計としても使用することができる。
【００２８】
また、本発明における眼球運動検査用ゴーグル１は、例えば、フレンツェル眼鏡にも適用することができる。
【図面の簡単な説明】
【００２９】
【図１】本発明の実施形態における眼球運動検査用ゴーグル１の斜視図である。
【図２】同実施形態におけるゴーグル本体２を側方からみた透視図である。
【図３】同実施形態におけるゴーグル本体２を上方からみた透視図である。
【図４】（ａ）〜（ｄ）本発明の異なる実施形態におけるゴーグル本体２を上方からみた透視図である。
【図５】従来の眼球運動検査用ゴーグル３０の斜視図である。
【符号の説明】
【００３０】
１  眼球運動検査用ゴーグル
２  ゴーグル本体
３  取付用ベルト
４  ハーフミラー
５  撮像素子
６  透明カバー
【図１】
2006087635.tif 000003
【図２】
2006087635.tif 000004
【図３】
2006087635.tif 000005
【図４】
2006087635.tif 000006
【図５】
2006087635.tif 000007